(57)【要約】      （修正有）【課題】製造工程を簡単にし、コストを低減し、美容の効果がよい美容装置の頭部および美容装置を提供する。【解決手段】美容装置の頭部は、頭部２１、弾性挿入部２３および外部の回路構造に電気接続される電気接続部３３を含み、頭部内には導電構造が形成され、弾性挿入部は弾性の方向に両端を含み、一端は頭部内に挿入されて導電構造に電気接続され、他端は電気接続部に電気接続される。美容装置は取っ手を更に含み、取っ手は美容装置の頭部に着脱可能に連結され、取っ手上には作動モードを変化させる少なくとも１つのスイッチが取り付けられる。取っ手上には磁石吸着型インターフェースが更に取り付けられ、磁石吸着型インターフェースを外部の充電装置に磁石で接着させることにより充電する。【選択図】図２
0003226151.tif 000002
【実用新案登録請求の範囲】
【請求項１】
美容装置の頭部であって、頭部、弾性挿入部および外部の回路構造に電気接続される電気接続部を含み、前記頭部内には導電構造が形成され、前記弾性挿入部は弾性の方向における両端を含み、その一端は前記頭部内に挿入されることにより前記導電構造に電気接続され、他端は前記電気接続部に電気接続されることを特徴とする美容装置の頭部。
【請求項２】
前記弾性挿入部はスプリングまたは金属弾性シートのうちいずれかの一種を含むことを特徴とする請求項１に記載の美容装置の頭部。
【請求項３】
前記頭部は使用者の人体と接触する接触部と接触部に連結される結合円筒部を含み、前記弾性挿入部の弾性を有している一端は前記結合円筒部に挿入されるとともに前記導電構造に電気接続されることを特徴とする請求項１に記載の美容装置の頭部。
【請求項４】
前記頭部の数量は偶数であり、少なくとも２個であることができ、２個の頭部の間は電気接続され、前記頭部はＲＦ電極とＥＭＳ電極のうち１つまたは２つを含むことを特徴とする請求項１に記載の美容装置の頭部。
【請求項５】
前記頭部の数量は４個であり、４個の前記頭部は２個のＲＦ電極と２個のＥＭＳ電極を含み、４個の前記頭部の連結線は四角形に形成され、２個の前記ＲＦ電極は対角線上に位置し、２個の前記ＥＭＳ電極は他の対角線上に位置することを特徴とする請求項４に記載の美容装置の頭部。
【請求項６】
前記美容装置の頭部はＬＥＤランプと制御装置を含み、前記制御装置は前記頭部の作動モードを検出しかつ前記頭部の作動モードにより前記ＬＥＤランプが赤色、青色、及び緑色の光線のうち１つまたは複数の組合せを出射するように制御することを特徴とする請求項１に記載の美容装置の頭部。
【請求項７】
支持フレーム、前記支持フレームに結合される連結部および前記支持フレームに連結されるケースを含み、前記支持フレームには前記頭部を挿入させる挿入孔と前記連結部を収納させる空間が形成され、前記連結部は前記支持フレーム内に結合され、タッチモジュールは前記支持フレームの端面から露出し、結合円筒部は前記挿入孔内に収納されかつ前記タッチモジュールから離れている一端は前記連結部に連結され、前記頭部は前記支持フレームに固定連結されることを特徴とする請求項６に記載の美容装置の頭部。
【請求項８】
前記連結部に近づいている前記支持フレームの一端に階段構造が形成されることによりその位置にはケースを結合させる結合環状部が形成され、前記ケースは前記結合環状部の外壁に結合され、前記連結部は前記結合環状部の内壁に結合され、前記支持フレームは黒色の透光材料で製造されることを特徴とする請求項７に記載の美容装置の頭部。
【請求項９】
前記ＬＥＤランプは前記電気接続部上に取り付けられ、前記ケースの前記ＬＥＤランプと対応する個所には装着孔が形成され、前記装着孔のサイズは前記ＬＥＤランプのサイズより大きく、前記ＬＥＤランプは前記装着孔内に収納され、前記ＬＥＤランプが出射する光線は前記支持フレームを透過して出射することを特徴とする請求項８に記載の美容装置の頭部。
【請求項１０】
前記連結部には前記弾性挿入部を挿入する貫通孔が形成され、前記電気接続部は前記頭部から離れている前記ケースの一側に取り付けられ、前記弾性挿入部は前記連結部と前記ケースを通過した後、前記電気接続部に電気接続され、前記ケースには前記連結部を収納させる収納空間が形成され、前記頭部から離れている前記連結部の一端は前記ケースの内壁に連結され、固定部品が前記電気接続部、前記ケース、前記連結部および前記支持フレームに順に挿入されることによりそれらが固定されることを特徴とする請求項７に記載の美容装置の頭部。
【請求項１１】
前記連結部に近づいている前記挿入孔の一端の内壁に階段構造が形成されることにより位置決め部が形成され、前記頭部は前記挿入孔内に収納され、前記位置決め部は前記支持フレームから離れている前記頭部の一端に当接することを特徴とする請求項１０に記載の美容装置の頭部。
【請求項１２】
収納孔は非貫通孔であり、頭部に向かう前記収納孔の一側の端面上には凹部が形成され、前記凹部は頭部が弾性移動をするように空間を提供することを特徴とする請求項１１に記載の美容装置の頭部。
【請求項１３】
前記美容装置の頭部は眼部美容装置の頭部であることを特徴とする請求項１〜１２のうちいずれかの一項に記載の美容装置の頭部。
【請求項１４】
請求項１３に記載の美容装置の頭部を含む美容装置であって、前記美容装置は取っ手を更に含み、前記取っ手は前記美容装置の頭部に着脱可能に連結され、前記取っ手上には作動のモードを変化させる少なくとも１つのスイッチが取り付けられ、前記取っ手上には磁石吸着型インターフェースが更に取り付けられ、前記磁石吸着型インターフェースを外部の充電装置に磁石で接着させることにより充電をし、前記磁石吸着型インターフェースの代わりにＤＣ充電インターフェース、type-cインターフェース、micro-usbインターフェースのうちいずれかの一種を使用することもできることを特徴とする美容装置。
【考案の詳細な説明】
【技術分野】
【０００１】
この考案は、美容およびスキンケアの技術分野に属し、特に美容装置の頭部および美容装置に関するものである。
【背景技術】
【０００２】
皮膚は人の健康と美麗を判断する１つの標準である。フェースの皮膚は長く空気中に露出しているので、光線中の紫外線、空気に含まれている汚染物、埃、細菌等の有害物は皮膚の表面に付着され、皮膚から分泌されるファット、スウェット、デッド細胞等は、皮膚の正常な機能に影響を与え、皮膚病の病因になり、アクネ等の皮膚の問題を招来し、皮膚の早老の原因になるおそれがある。また、年齢の増加により皮膚の老化が発生するとともに皺が形成される。したがって、皮膚の保護は日常生活においてなければならない一環になっている。
【０００３】
生活の品質の増加に伴い、市場にはいろいろな美容装置が出ているが、ラジオフリークエンシー（無線周波数）美容装置とマイクロカレント（微小電流）タイプの美容装置は少ない。従来の美容装置の頭部は導線により制御装置に電気接続される。導線で接続させる場合溶接によりそれを美容装置の頭部に電気接続させる必要があるので、製造の工程と組立ての工程が複雑になるおそれがある。また、導線が曲げられることによりマイクロカレントまたはラジオフリークエンシーカレントの伝送の効率に影響を与え、かつ美容装置の美容の効果に影響を与えるおそれがある。
【考案の概要】
【考案が解決しようとする課題】
【０００４】
従来の技術の美容装置の製造工程が複雑であり、製造のコストが高い問題を解決するため、この考案は美容装置の頭部および美容装置を提供する。
【０００５】
前記技術的問題を解決するため、この考案において次の技術的事項を提供する。この考案の美容装置の頭部において、頭部、弾性挿入部および外部の回路構造に電気接続される電気接続部を含み、前記頭部内には導電構造が形成され、前記弾性挿入部は弾性の方向における両端を含み、その一端は前記頭部内に挿入されることにより前記導電構造に電気接続され、他端は前記電気接続部に電気接続される。
【０００６】
好ましくは、前記弾性挿入部はスプリングまたは金属弾性シートのうちいずれかの一種を含む。
【０００７】
好ましくは、前記頭部は使用者の人体と接触する接触部と接触部に連結される結合円筒部を含み、前記弾性挿入部の弾性を有している一端は前記結合円筒部に挿入されるとともに前記導電構造に電気接続される。
【０００８】
好ましくは、前記頭部の数量は偶数であり、少なくとも２個であることができ、２個の頭部の間は電気接続され、前記頭部はＲＦ電極とＥＭＳ電極のうち一種または二種を含む。
【０００９】
好ましくは、前記頭部の数量は４個であり、４個の前記頭部は２個のＲＦ電極と２個のＥＭＳ電極を含み、４個の前記頭部の連結線は四角形に形成され、２個の前記ＲＦ電極は対角線上に位置し、２個の前記ＥＭＳ電極は他の対角線上に位置する。
【００１０】
好ましくは、前記美容装置の頭部は、ＬＥＤランプと制御装置を含み、前記制御装置は前記頭部の作動モードを検出しかつ前記頭部の作動モードにより、前記ＬＥＤランプが赤色、青色、及び緑色の光線のうち１つまたは複数の組合せを出射するように制御する。
【００１１】
好ましくは、前記美容装置の頭部は、支持フレーム、前記支持フレームに結合される連結部および前記支持フレームに連結されるケースを含み、前記支持フレームには前記頭部を挿入させる挿入孔と前記連結部を収納させる空間が形成され、前記連結部は前記支持フレーム内に結合され、前記タッチモジュールは前記支持フレームの端面から露出し、前記結合円筒部は前記挿入孔内に収納されかつ前記タッチモジュールから離れている一端は前記連結部に連結され、前記頭部は前記支持フレームに固定連結される。
【００１２】
好ましくは、前記連結部に近づいている前記支持フレームの一端に階段構造が形成されることによりその位置にはケースを結合させる結合環状部が形成され、前記ケースは前記結合環状部の外壁に結合され、前記連結部は前記結合環状部の内壁に結合され、前記支持フレームは黒色の透光材料で製造される。
【００１３】
好ましくは、前記ＬＥＤランプは前記電気接続部上に取り付けられ、前記ケースの前記ＬＥＤランプと対応する個所には装着孔が形成され、前記装着孔のサイズは前記ＬＥＤランプのサイズより大きく、前記ＬＥＤランプは前記装着孔内に収納され、前記ＬＥＤランプが出射する光線は前記支持フレームを透過して出射する。
【００１４】
好ましくは、前記連結部には前記弾性挿入部を挿入する貫通孔が形成され、前記電気接続部は前記頭部から離れている前記ケースの一側に取り付けられ、前記弾性挿入部は前記連結部と前記ケースを通過した後、前記電気接続部に電気接続され、前記ケースには前記連結部を収納させる収納空間が形成され、前記頭部から離れている前記連結部の一端は前記ケースの内壁に連結され、前記固定部品が前記電気接続部、前記ケース、前記連結部および前記支持フレームに順に挿入されることによりそれらが固定される。
【００１５】
好ましくは、前記連結部に近づいている前記挿入孔の一端の内壁に階段構造が形成されることにより位置決め部が形成され、前記頭部は前記挿入孔内に収納され、前記位置決め部は前記支持フレームから離れている前記頭部の一端に当接する。
【００１６】
好ましくは、前記収納孔は非貫通孔であり、頭部に向かう前記収納孔の一側の端面上には凹部が形成され、前記凹部は頭部が弾性移動をするように空間を提供する。
【００１７】
好ましくは、前記美容装置の頭部は眼部美容装置の頭部である。
【００１８】
美容装置であって、前記美容装置は前記美容装置の頭部を含み、前記美容装置は取っ手を更に含み、前記取っ手は前記美容装置の頭部に着脱可能に連結され、前記取っ手上には作動のモードを変化させる少なくとも１つのスイッチが取り付けられ、前記取っ手上には磁石吸着型インターフェースが更に取り付けられ、前記磁石吸着型インターフェースを外部の充電装置に磁石で接着させることにより充電をし、前記磁石吸着型インターフェースの代わりにＤＣ充電インターフェース、type-cインターフェース、micro-usbインターフェースのうちいずれかの一種を使用することもできる。
【００１９】
従来の技術と比較してみると、この考案の美容装置の頭部および美容装置により下記考案の効果を獲得することができる。
１、前記美容装置の頭部は、頭部、弾性挿入部および外部の回路構造に電気接続される電気接続部を含み、前記頭部内には導電構造が形成され、前記弾性挿入部は弾性の方向における両端を含み、その一端は前記頭部内に挿入されることにより前記導電構造に電気接続され、他端は前記電気接続部に電気接続される。弾性挿入部は電線のような役割をするので、電線で電気接続をするとき溶接方法を採用する必要があることを避け、工程を簡単にすることができる。また、弾性挿入部は１つの電線より容易に取り付けることができるので、組立ての時間を節約し、製造のコストを低減することができる。
【００２０】
２、前記弾性挿入部はスプリングまたは金属弾性シートのうちいずれかの一種を含む。弾性挿入部が螺旋状または弾性シート状に形成されることにより、導線を溶接させる場合製造のコストが高い問題を解決することができる。スプリングを伝送線として使用するとき、電流によって形成される熱を発散させ、使用の寿命を向上させ、美容装置の美容の効果を向上させることができる。
【００２１】
３、前記頭部は使用者の人体と接触する接触部と接触部に連結される結合円筒部を含み、前記弾性挿入部の弾性を有している一端は前記結合円筒部に挿入されるとともに前記導電構造に電気接続される。弾性挿入部は結合円筒部内の導電構造に挿入されることにより導電構造と電気の伝送をし、電流を有効に流入させることができる。
【００２２】
４、前記頭部の数量は偶数であり、少なくとも２個であることができ、２個の頭部の間は電気接続される。前記頭部はＲＦ電極とＥＭＳ電極のうち一種または二種を含むことができる。ＲＦ電極によって形成されるラジオフリークエンシーカレントが皮膚上のジェルまたはエッセンスに影響を与え、多極のラジオフリークエンシーの加熱透過の原理によりラジオフリークエンシーカレントが皮膚の真皮層に伝達されるので、コラーゲンの収縮を促進させるとともにコラーゲンの再生を促進させることができる。それにより皺を除去し、皮膚の弾性を獲得し、皮膚を柔らかくする効果等を獲得することができる。ＥＭＳ電極によって形成されるマイクロカレントが皮膚上のジェルまたはエッセンスに影響を与えることにより皮膚の細胞の活性化を獲得し、皮膚の弾性を回復させ、眼部の周囲の皮膚を引っ張り、皮膚の緩みと下垂を改善し、皮膚の老衰を緩和することができる。２個の頭部の間の皮膚上のジェルまたはエッセンスにより回路が形成されることにより、ジェルまたはエッセンスを充分に利用しかつ美容の効果を向上させることができる。
【００２３】
５、前記頭部の数量は４個であり、４個の前記頭部は２個のＲＦ電極と２個のＥＭＳ電極を含み、４個の前記頭部の連結線は四角形に形成され、２個の前記ＲＦ電極は対角線上に位置し、２個の前記ＥＭＳ電極は他の対角線上に位置する。ＲＦ電極とＥＭＳ電極が対向するように交差して取り付けられることにより皮膚の美容区域を有効に増加させ、ＲＦラジオフリークエンシーカレントとＥＭＳマイクロカレントが皮膚に均等に充分に影響を与えることを確保することができる。また、ＲＦ電極とＥＭＳ電極が対向するように交差して取り付けられることにより、隣接する２つの電極のタイプは異なり、ＲＦラジオフリークエンシーカレントとＥＭＳマイクロカレントが眼部に交差して影響を与えることにより良好な美容の効果を獲得することができる。
【００２４】
６、前記美容装置の頭部はＬＥＤランプと制御装置を含み、前記制御装置は前記頭部の作動モードを検出しかつ前記頭部の作動モードにより前記ＬＥＤランプが赤色、青色、及び緑色の光線のうち１つまたは複数の組合せを出射するように制御する。ＬＥＤランプは赤色、緑色、青色の光線を出射する光源であり、赤色の光線は皮膚の活性化を獲得し、青色の光線は皮膚の炎症を抑制し、緑色の光線は傷ついた皮膚を回復させることができる。
【００２５】
７、前記美容装置の頭部は、支持フレーム、支持フレームに結合される連結部および支持フレームに連結されるケースを含む。支持フレームには前記頭部を挿入させる挿入孔と連結部を収納させる空間が形成され、前記連結部は前記支持フレーム内に結合され、前記タッチモジュールは前記支持フレームの端面から露出する。前記結合円筒部は前記挿入孔内に収納されかつ前記タッチモジュールから離れている一端は前記連結部に連結され、前記頭部は前記支持フレームに固定連結される。前記連結部は防水、密閉の役割をすることにより外部のジェルまたはエッセンスが美容装置の内部の電気接続部に流入することを有効に防止することができる。
【００２６】
８、前記連結部に近づいている前記支持フレームの一端に階段構造が形成されることによりその位置にはケースを結合させる結合環状部が形成される。前記ケースは前記結合環状部の外壁に結合され、前記連結部は前記結合環状部の内壁に結合される。前記支持フレームは黒色の透光材料で製造され、前記連結部は防水、密閉の役割をすることにより外部のジェルまたはエッセンスが美容装置の内部の電気接続部に流入することを有効に防止することができる。
【００２７】
９、前記ＬＥＤランプは前記電気接続部上に取り付けられ、前記ケースの前記ＬＥＤランプと対応する個所には装着孔が形成され、前記装着孔のサイズは前記ＬＥＤランプのサイズより大きく、前記ＬＥＤランプは前記装着孔内に収納される。前記ＬＥＤランプが出射する光線は前記支持フレームを透過し、前記ＬＥＤランプが出射する光線は黒色でありかつ透明である支持フレームを透過した後使用者の皮膚に照射されることにより、皮膚の血液の循環を促進させ、光線の治療をすることができる。
【００２８】
１０、前記連結部には前記弾性挿入部を挿入する貫通孔が形成され、前記電気接続部は前記頭部から離れている前記ケースの一側に取り付けられ、前記弾性挿入部は前記連結部と前記ケースを通過した後、前記電気接続部に電気接続される。前記ケースには前記連結部を収納させる収納空間が形成され、前記頭部から離れている前記連結部の一端は前記ケースの内壁に連結される。前記固定部品を前記電気接続部、前記ケース、前記連結部および前記支持フレームに順に挿入させることによりそれらを固定させる。固定部品が電気接続部、ケース、連結部および支持フレームに順に挿入されかつそれらを固定させることにより、美容装置の頭部を着脱可能に連結させ、美容装置の頭部の体積を低減することができる。
【００２９】
１１、前記連結部に近づいている前記挿入孔の一端の内壁に階段構造が形成されることにより位置決め部が形成される。前記頭部は前記挿入孔内に収納され、前記位置決め部は前記支持フレームから離れている前記頭部の一端に当接し、頭部は外部に露出する。露出する頭部が使用者の皮膚と直接に接触することにより、皮膚上の美容の区域を増加させ、美容の効果を向上させることができる。
【００３０】
１２、前記収納孔は非貫通孔であり、頭部に向かう前記収納孔の一側の端面上には凹部が形成され、前記凹部は頭部が弾性移動をするように空間を提供する。それにより頭部を皮膚に接触させるとき弾性接触が形成されるので、マッサージをする使用者の快適性を向上させ、使用者の体験を向上させることができる。
【００３１】
１３、前記美容装置の頭部は眼部美容装置の頭部であり、それにより眼部の周囲の区域の美容と保護をすることにより目の過度の使用により眼部の皮膚の老化を有効に防止し、眼部の区域の美容の効果を増加させることができる。
【００３２】
１４、前記美容装置は取っ手を更に含み、前記取っ手は前記美容装置の頭部に着脱可能に連結され、前記取っ手上には作動のモードを変化させる少なくとも１つのスイッチが取り付けられる。前記取っ手上には磁石吸着型インターフェースが更に取り付けられ、前記磁石吸着型インターフェースを外部の充電装置に磁石で接着させることにより充電をすることができる。スイッチをタッチすることにより使用者は美容装置の作動のモードを適当に選択することができるので、美容装置の機能を豊富にし、使用者の体験を向上させることができる。磁石吸着型インターフェースにより美容装置の充電と充電装置との電気接続をし、美容装置の収納と充電を容易にすることができる。美容装置の取っ手上にはＤＣ充電インターフェースが更に取り付けられることができる。磁石吸着型充電装置は利便性を有しているが、ＤＣ充電インターフェースにより美容装置の充電を迅速にし、美容装置の充電の効率を向上させることができる。異なる充電インターフェースによりいろいろなニーズを満たすことができる。
【図面の簡単な説明】
【００３３】
【図１】この考案の第一実施例を示す構造図である。
【図２】この考案の第一実施例の構造を示す分解図である。
【図３】この考案の第一実施例の構造を示す他の分解図である。
【図４】この考案の第一実施例の支持フレームを示す構造図である。
【図５】この考案の第一実施例の連結部を示す構造図である。
【図６】この考案の第一実施例を示す平面図である。
【図７】この考案の第一実施例の連結モジュールの構造を示す分解図である。
【図８】この考案の第一実施例のケースを示す構造図である。
【図９】この考案の第一実施例の構造を示す他の分解図である。
【図１０】図９のＡ―Ａ方向に沿う断面を示す断面図である。
【図１１】この考案の第一実施例を示す側面図である。
【図１２】図１１のＢ―Ｂ方向に沿う断面を示す断面図である。
【図１３】図１２のＣ個所を示す局部拡大図である。
【図１４】この考案の第一実施例を示す平面図である。
【図１５】図１４のＤ―Ｄ方向に沿う断面を示す断面図である。
【図１６】この考案の第三実施例を示す構造図である。
【考案を実施するための形態】
【００３４】
この考案の目的、技術的事項および考案の効果をより詳細に理解してもらうため、以下、図面と実施例によりこの考案をより詳細に説明する。注意されたいことは、下記具体的な実施例はこの考案を説明するものであるが、この考案を限定するものでない。
【００３５】
図１を参照すると、本考案の第一実施例において美容装置の頭部１０を提供する。前記美容装置の頭部１０はタッチモジュール２０と連結モジュール３０を含み、前記タッチモジュール２０と前記連結モジュール３０は着脱可能に連結され、前記タッチモジュール２０は使用者の皮膚と接触し、前記連結モジュール３０は外部の美容装置の取っ手（図示せず）に着脱可能に連結される。
【００３６】
図２と図３を参照すると、前記タッチモジュール２０は頭部２１、支持フレーム２２、弾性挿入部２３および連結部２４を含み、前記頭部２１の一部分は支持フレーム２２内に収納され、頭部２１の一端は前記支持フレーム２２に向かっている前記連結部２４の一面と接触し、他端は前記支持フレーム２２の端面から露出することにより使用者の皮膚と接触する。前記弾性挿入部２３の一端は前記頭部２１内に挿入されるとともに頭部２１の内部の回路構造（図示せず）に電気接続され、前記弾性挿入部２３の他端は前記連結部２４に完全に挿入される。前記連結部２４の一端は前記支持フレーム２２に結合され、連結モジュール３０が支持フレーム２２上に結合されることにより前記タッチモジュール２０は前記連結モジュール３０に着脱可能に連結される。
【００３７】
図３と図４を参照すると、連結部２４から離れている前記支持フレーム２２の表面は円滑に形成されている。支持フレーム２２は黒色の透光材料で製造され、前記支持フレーム２２と前記頭部２１の所定の位置には前記頭部２１の数量と対応する数量の挿入孔２２１が形成され、前記挿入孔２２１は前記頭部２１を収納させ、頭部２１は挿入孔２２１に挿入される。連結部２４に近づいている前記挿入孔２２１の一端の内壁に階段構造が形成されることにより位置決め部２２１１が形成される。
【００３８】
頭部２１が挿入孔２２１に挿入されているとき、位置決め部２２１１は支持フレーム２２から離れている頭部２１の一端に当接することにより、頭部２１が挿入孔２２１から離脱することを防止する。
【００３９】
連結部２４に近づいている前記支持フレーム２２の一端には２つの結合部２２２が形成され、前記結合部２２２は支持フレーム２２の幅の方向の両端に形成される。結合部２２２は連結部２４の一側に延伸するとともに支持フレーム２２の端面から突出する。結合部２２２にはネジ孔２２２１が形成され、前記ネジ孔２２２１は非貫通孔である。前記ネジ孔２２２１によりタッチモジュール２０と連結モジュール３０は連結される。
【００４０】
前記支持フレーム２２の挿入孔２２１の間に位置しかつ前記連結モジュール３０に向かう支持フレーム２２の一側に位置する箇所には複数の収納空間２２３が形成され、前記収納空間２２３は前記連結部２４と前記支持フレーム２２が連結されるように空間を提供する。
【００４１】
図３を再び参照すると、連結部２４に近づいている支持フレーム２２の一端に階段構造が形成されることにより、その位置には連結モジュール３０を結合させる結合環状部２２５が形成される。
【００４２】
図３と図５を参照すると、前記連結部２４の外部の輪郭の形状は支持フレーム２２の形状に対応する。前記連結部２４は第一連結板２４４と第二連結板２４５を含み、第一連結板２４４と第二連結板２４５は一体に形成される。第一連結板２４４は楕円形の板状構造であり、第一連結板２４４は連結モジュール３０と対向するように取り付けられ、前記第二連結板２４５は第一連結板２４４の表面から突出するように形成され、第二連結板２４５は支持フレーム２２と対向するように取り付けられる。第一連結板２４４のサイズが第二連結板２４５のサイズより小さいことにより前記第一連結板２４４と第二連結板２４５との間には階段構造が形成される。連結部２４と支持フレーム２２が結合されるとき、第二連結板２４５の外周面の壁面は支持フレーム２２と接触し、支持フレーム２２と対向する第一連結板２４４の端面は結合環状部２２５と接触する。前記第一連結板２４４の表面において前記支持フレーム２２に向かう一面が内部へ窪むことにより装着空間２４６が形成され、前記連結モジュール３０は装着空間２４６に収納される。
【００４３】
図５を参照すると、前記第二連結板２４５上には連結突出部２４３が形成され、前記連結突出部２４３は前記第二連結板２４５の表面から突出している。連結部２４と支持フレーム２２を連結させるとき、前記連結突出部２４３は支持フレーム２２の収納空間２２３内に収納される。前記連結部２４上には収納孔２４２が形成され、収納孔２４２は第一連結板２４４と第二連結板２４５を貫通し、弾性挿入部２３は前記収納孔２４２に挿入され、連結部２４が支持フレーム２２上に結合されることにより固定構造が形成される。連結部２４の両側には結合部２２２に対応する結合孔２４１が形成され、固定部品３２を結合孔２４１と結合部２２２に挿入させることにより連結部２４と支持フレーム２２を固定連結させる。
【００４４】
図６を参照すると、前記頭部２１は皮膚と接触する。この考案の具体的な実施形態において、前記頭部２１の数量は偶数であり、少なくとも２個であることができる。前記頭部２１はＲＦ電極５０とＥＭＳ電極６０のうち一種または二種を含み、前記頭部２１のタイプは一致するか或いは異なることができる。
【００４５】
この実施例において、図６に示すとおり、前記頭部２１の数量は４個であり、それらは２組に分けられる。前記頭部２１はＲＦ（Radio  Frequency）電極５０とＥＭＳ（Electrical  Muscle  Stimulation）電極６０を含み、各組の頭部２１の数量は２個である。前記各組のＲＦ電極５０と前記各組のＥＭＳ電極６０は対向するように交差して取り付けられ、４個の前記頭部２１の連結線は四角形に形成され、２個の前記ＲＦ電極５０は対角線上に位置し、２個の前記ＥＭＳ電極６０は他の対角線上に位置する。各組のＲＦ電極５０の位置と各組のＥＭＳ電極６０の位置を交換することができる。前記ＲＦ電極５０と前記ＥＭＳ電極６０により皮膚の温度を４０〜４５℃に加熱し、前記ＲＦ電極５０によって形成されるラジオフリークエンシー（Radio  Frequency）カレントが皮膚上のジェルまたはエッセンスに影響を与え、多極のラジオフリークエンシーの加熱透過の原理によりラジオフリークエンシーカレントが皮膚の真皮層に伝達されるので、コラーゲンの収縮を促進させるとともにコラーゲンの再生を促進させることができる。それにより皺を除去し、皮膚の弾性を獲得し、皮膚を柔らかくする効果等を獲得することができる。前記ＥＭＳ電極６０によって形成されるマイクロカレント（micro  current）が皮膚上のジェルまたはエッセンスに影響を与えることにより皮膚の細胞の活性化を獲得し、皮膚の弾性を回復させ、眼部の周囲の皮膚を引っ張り、皮膚の緩みと下垂を改善し、皮膚の老衰を緩和することができる。
【００４６】
前記ＲＦ電極５０と前記ＥＭＳ電極６０が対向するように交差して取り付けられることにより皮膚の美容区域を有効に増加させ、ＲＦラジオフリークエンシーカレントとＥＭＳマイクロカレントが皮膚に均等に充分に影響を与えることを確保することができる。また、ＲＦ電極５０とＥＭＳ電極６０が対向するように交差して取り付けられることにより、隣接する２つの電極のタイプが異なり、ＲＦラジオフリークエンシーカレントとＥＭＳマイクロカレントが皮膚に交差して影響を与えることにより良好な美容の効果を獲得することができる。
【００４７】
図６と図３を一緒に参照すると、前記頭部２１は接触部２１１と結合円筒部２１２を含み、接触部２１１は突出している饅頭の形状を有している。結合円筒部２１２は中空の円筒の構造を有している。接触部２１１と結合円筒部２１２は一体に成型される。前記接触部２１１は支持フレーム２２から露出することにより使用者の皮膚と接触する。弾性挿入部２３の一部分は結合円筒部２１２内に収納される。接触部２１１から離れている結合円筒部２１２の一端には位置決め構造が形成され、前記位置決め構造は前記結合円筒部２１２の表面から突起するように形成される。前記位置決め構造と前記位置決め部２２１１の協力により頭部２１が支持フレーム２２から離脱することを避けることができる。前記結合円筒部２１２内には導電構造（図示せず）が形成され、結合円筒部２１２に挿入される弾性挿入部２３の一端は導電構造に固定連結されることにより電気接続が形成され、前記弾性挿入部２３の他端は連結部２４に挿入されることにより連結モジュール３０に電気接続されるので、頭部２１が正常に作動することができる。
【００４８】
この実施例において、前記連結部２４は防水のシリカゲル（silica  gel）材料で製造され、結合孔２４１は結合部２２２に結合されることにより密閉の構造が形成され、連結突出部２４３は収納空間２２３に結合されることにより密閉の構造が形成され、前記連結部２４は防水、密閉の役割をすることにより外部のジェルまたはエッセンスが連結モジュール３０に流入することを有効に防止することができる。
【００４９】
図７と図８を参照すると、前記連結モジュール３０はケース３１、固定部品３２および電気接続部３３を含み、前記電気接続部３３と前記ケース３１は固定部品３２により固定連結され、前記電気接続部３３は前記ケース３１内に収納される。固定部品３２を前記結合部２２２上のネジ孔２２２１にネジ結合させることにより連結モジュール３０とタッチモジュール２０を着脱可能に結合させることができる。この考案の具体的な実施形態において、連結モジュール３０とタッチモジュール２０はホック等の手段により着脱可能に結合されることもできる。
【００５０】
図７と図８を参照すると、前記電気接続部３３の両側には連結開口３３１が形成され、連結開口３３１は貫通孔でありかつ電気接続部３３の外壁上に凹形に形成されるものである。前記固定部品３２は前記連結開口３３１に結合されかつ固定部品３２一端はケース３１の一側に突出する。電気接続部３３上には４個の電極３３２が形成され、２個の電極３３２の間は電気接続されている。図７に示すとおり、電極ａと電極ｂは電気接続され、電極ｃと電極ｄは電気接続され、電極ａと電極ｃおよび電極ｄとの間は電気接続されない。注意されたいことは、この考案の他の実施形態において、３個の電極３３２の間またはより多い電極３３２の間は電気接続されないこともできる。前記電気接続部３３はＰＣＢ基板を含み、前記電極３３２は前記弾性挿入部２３に電気接続される。ケース３１に向かう電気接続部３３の一側の中心にはＬＥＤランプ３３３が取り付けられている。この実施例において、前記ＬＥＤランプ３３３には赤色、緑色、青色のチップが取り付けられることにより、前記ＬＥＤランプ３３３は赤色、緑色、青色の光線を出射することができる。ＬＥＤランプ３３３が出射する光線は黒色でありかつ透明である支持フレーム２２を透過した後使用者の皮膚に照射されることにより、皮膚の血液の循環を促進させ、光線の治療をすることができる。三色の光線において、赤色の光線は皮膚の活性化を獲得し、青色の光線は皮膚の炎症を抑制し、緑色の光線は傷ついた皮膚を回復させることができる。
【００５１】
他の実施例において、前記電気接続部３３はリードワイヤ、柔軟性回路基板等により電気接続をすることもできる。
【００５２】
前記ケース３１において電気接続部３３上の２個の固定部品３２と対応する個所には収納貫通孔３１１が形成され、前記固定部品３２は前記収納貫通孔３１１に挿入結合される。前記ケース３１において電気接続部３３上のＬＥＤランプ３３３と対応する個所には装着孔３１２が形成され、装着孔３１２のサイズはＬＥＤランプ３３３のサイズより大きい。電気接続部３３をケース３１に連結させるとき、前記ＬＥＤランプ３３３は前記装着孔３１２内に収納される。前記ケース３１において電気接続部３３上の４個の電極３３２およびＬＥＤランプ３３３と対応する個所には連結柱体３１３が形成され、連結柱体３１３はタッチモジュール２０の一側に向かう方向に延伸している。連結柱体３１３の端面とケース３１の端面との間には隙間が形成されることにより前記連結部２４を収納装着させる収納空間（図示せず）が形成される。
【００５３】
前記連結柱体３１３は中空の円形柱体であり、弾性挿入部２３は連結柱体３１３に挿入されるとともに電気接続部３３に電気接続される。タッチモジュール２０と連結モジュール３０を連結させるとき、第一連結板２４４は連結柱体３１３と当接し、連結柱体３１３は第一連結板２４４を支持する。
【００５４】
図２と図３を再び参照すると、タッチモジュール２０を組み立てるとき、弾性挿入部２３が結合円筒部２１２に挿入されることにより弾性挿入部の一端は導電構造に固定連結されるとともに電気接続が形成され、弾性挿入部２３の他端は前記結合円筒部２１２の外部に露出する。頭部２１と挿入孔２２１は結合円筒部２１２に結合されるとともに位置決め部２２１１に当接する。支持フレーム２２上の結合部２２２は連結部２４上の結合孔２４１に挿入され、連結部２４上の連結突出部２４３は支持フレーム２２上の所定の収納空間２２３内に収納される。弾性挿入部２３が連結部２４の収納孔２４２に挿入されるとき、弾性挿入部２３は弛緩（Loosening）の状態にされる。この実施例において、前記弾性挿入部２３はスプリングである。スプリングは導線のような役割をすることができ、かつスプリングが螺旋状に形成されることにより柔軟性の導線が電気を安定に伝送できない問題を解決することができる。
【００５５】
連結モジュール３０を組み立てるとき、組み立てられるタッチモジュール２０の弾性挿入部２３はケース３１に形成される所定の貫通孔３１３１に挿入され、結合円筒部２１２から露出する弾性挿入部２３の一端は電気接続部３３の電極３３２側に延伸するとともに電極３３２に当接する。固定部品３２は電気接続部３３の両側の連結開口３３１に結合され、かつ固定部品３２は収納貫通孔３１１に挿入されるとともに支持フレーム２２上のネジ孔２２２１に結合される。支持フレーム２２はケース３１に結合され、前記弾性挿入部２３の他端は連結部２４に挿入されるとともに電極３３２に電気接続される。そのとき弾性挿入部２３は圧縮の状態にされ、ＬＥＤランプ３３３は装着孔３１２内に収納され、連結部２４はケース３１の収納空間内に装着収納される。弾性挿入部２３が圧縮されると、タッチモジュール２０の結合環状部２２５はケース３１と接触する。
【００５６】
図９と図１０を参照すると、弾性挿入部２３の一端は結合円筒部２１２内の導電構造７０上に当接する。前記導電構造７０は接触点を含み、弾性挿入部２３の他端は電気接続部３３上の電極３３２に当接することにより電気接続が形成される。そのとき頭部２１上の結合円筒部２１２は位置決め部２２１１に当接する。頭部２１を皮膚に接触させて使用するとき、電気接続部３３上の電極３３２は弾性挿入部２３によりラジオフリークエンシーカレントとマイクロカレントを導電構造７０に伝送することができる。導電構造７０はラジオフリークエンシーカレントとマイクロカレントを頭部２１に伝送し、頭部２１と導電構造７０は電気接続されることによりラジオフリークエンシーカレントとマイクロカレントを皮膚に伝送することができる。
【００５７】
前記頭部２１は弾性挿入部２３により電気接続部３３に電気接続され、２個の頭部２１の間は電気接続部３３により電気接続される。具体的に、弾性挿入部２３の弾性の方向における両端は電気接続部３３の電極３３２と頭部２１内の導電構造７０にそれぞれ接触される。２個の頭部２１の間に所定の電極３３２が取り付けられることにより２個の頭部２１の間の電気接続を形成することができる。皮膚上に塗布されるジェルまたはエッセンスは導電性を有しているので、２個の頭部２１の間の皮膚上のジェルまたはエッセンスにより回路が形成され、ジェルまたはエッセンスを充分に利用しかつ美容の効果を向上させることができる。
【００５８】
図１１、図１２およびと図１３を参照すると、この考案の具体的な実施形態において、前記収納孔２４２は非貫通孔であり、頭部２１に向かう前記収納孔２４２の一側の端面上には凹部８０が形成され、前記凹部８０は頭部２１が弾性移動をするように空間を提供する。具体的に、頭部２１と皮膚が接触するとき、頭部２１は凹部８０内において電気接続部３３の一側に移動し、弾性挿入部２３は圧縮の状態にされる。頭部２１と皮膚が分離するとき、弾性挿入部２３の弾性力により頭部２１は電気接続部３３一側から離れる方向に移動する。頭部２１で皮膚をタッチするとともに皮膚の複数の場所に移動させるとき、頭部２１と皮膚が当接する圧力は変化し、頭部２１と使用者の皮膚との間の接触は弾性接触になることにより、頭部２１を皮膚に接触させてマッサージをするとき使用者の快適性を向上させ、使用者の体験を向上させることができる。
【００５９】
図１４と図１５を参照すると、ＬＥＤランプ３３３が出射する光線は黒色でありかつ透明である支持フレーム２２を透過した後使用者の皮膚に照射される。黒色でありかつ透明である構造によりランプの色を完全に照射させ、美容装置の頭部１０の内部の構造を透視することができないので、製品の美観性を向上させることができる。
【００６０】
美容装置の頭部１０はいろいろな作動モードを有している。前記作動モードとは異なる色を有している光源とＲＦ電極５０またＥＭＳ電極６０を結合させることを意味する。使用者は異なるニーズにより所定の作動モードを選択することができる。この考案の具体的な実施例において、美容装置の頭部１０は次の作動モードを含むことができる。
【００６１】
モード１：ＬＥＤランプ３３３は緑色の光線を出射し、ＥＭＳ電極６０と緑色の光線は同時に所定の役割をする。ＥＭＳ電極６０が形成するマイクロカレントは皮膚の細胞の活性化を獲得し、筋肉中のエネルギー物質であるＡＴＰの形成を促進させ、フェースの皮膚を引っ張ることができる。すなわち水腫を抑制し、深層の筋肉を引っ張り、皮膚を引っ張る効果を獲得することができる。ＬＥＤランプ３３３が出射する緑色の光線は、自然であり、柔軟であり、中性であり、神経を安定させる機能を有しているので、不安と憂鬱を改善することができる。また、皮膚腺（skin  glands）の機能を調節し、ＥＭＳ＋緑色の光線を採用する皮膚保護方法により皮膚の細胞の活性化を獲得することができる。
【００６２】
モード２：ＬＥＤランプ３３３は赤色の光線を出射し、ＲＦ電極５０と赤色の光線は同時に所定の役割をする。モード２の皮膚保護方法により皮膚の細胞の活性化を向上させ、皮膚の細胞の新陳代謝を促進させることができる。
【００６３】
モード３：ＬＥＤランプ３３３は青色の光線を出射し、ＥＭＳ電極６０、ＲＦ電極５０と青色の光線は同時に所定の役割をする。モード３の皮膚保護方法により細菌を殺しかつ皮膚上の汚れを除去することができる。この考案の具体的な実施形態において、前記使用の順番により皮膚保護をするか或いは異なるスイッチで異なる皮膚保護方法をすることにより皮膚の美容をすることができる。前記スイッチは、ボタン式スイッチ、タッチ式スイッチ、音声制御式スイッチまたは光線制御式スイッチのうちの１つまたは複数の組合せであることができる。
【００６４】
好ましくは、前記美容装置の頭部１０は制御装置（図示せず）を更に含むことができる。前記制御装置は、前記頭部２１の作動モードを検出し、かつ前記頭部２１の作動モードにより前記ＬＥＤランプ３３３が赤色、青色、及び緑色の光線のうち１つまたは複数の組合せを出射するように制御する。
【００６５】
この考案の具体的な実施形態において、使用者は前記モードのうちいずれかの１つを選択して皮膚保護をするか或いは２つまたは３つを選択して皮膚保護をすることができる。複数のモードを選択して使用するとき、各モードを使用する順番と各モードを使用する時間は使用者がニーズによって自由に設定することができる。作動のモードは前記３つの種類にのみ限定されるものでない。この考案の実施例において、一回の皮膚保護をする過程において、使用者は前記モード１、モード２、モード３を順に選択して皮膚保護をし、各モードを使用する時間は使用者がニーズによって自由に設定することができる。
【００６６】
各ＲＦ電極５０と各ＥＭＳ電極６０は異なるスイッチで制御し、ＬＥＤランプ３３３は１つのスイッチで制御することができる。スイッチを複数回タッチすることによりＬＥＤランプが出射する光線の色を制御するか或いは異なるスイッチをタッチすることによりＬＥＤランプが所定の色の光線を出射するように制御することができる。スイッチで所定のモードを直接に選択することもできる。
【００６７】
この考案の美容装置の頭部１０はフェース、眼部または使用者の皮膚の他の部位に影響を与えることができる。
【００６８】
この考案の第二実施例において眼部美容装置の頭部を提供する。前記眼部美容装置の頭部の支持フレームの形状は使用者の眼部の輪郭により形成され、使用者の眼部のマッサージに適用することができる。この実施例において、前記眼部美容装置の頭部と前記第一実施例の美容装置の頭部の説明が一致しているので、ここでは再び説明しない。
【００６９】
図１６を参照すると、この考案の第三実施例において美容装置１００を提供し、その美容装置１００は第一実施例の美容装置の頭部１０、取っ手４０および磁石吸着型インターフェース９０を含む。前記美容装置の頭部１０、取っ手４０は着脱可能に連結され、前記取っ手４０上には複数のスイッチ４０１が取り付けられ、前記複数のスイッチ４０１は異なる電極とＬＥＤランプに対応する。注意されたいことは、異なるスイッチは異なる作動モードに対応し、異なるスイッチをタッチすることによりモード１、モード２またはモード３を選択することができる。磁石吸着型インターフェース９０を充電装置（図示せず）に磁石で接着させることにより充電をし、美容装置を容易に立て、充電を迅速にすることができる。
【００７０】
この考案の具体的な実施例において、前記磁石吸着型インターフェース９０の代わりにＤＣ充電インターフェース（図示せず）を使用することができる。外部のＤＣ充電装置（図示せず）を前記ＤＣ充電インターフェースに接続させることにより前記美容装置１００に対して充電をすることができる。前記外部のＤＣ充電装置は、ＤＣ充電線、充電式データライン等の電線のうちいずれかの一種であることができる。
【００７１】
この考案の他の実施形態において、前記美容装置１００の充電インターフェースは前記二種にのみ限定されるものでなく、他の充電インターフェースであることもできる。美容装置１００に対して充電をするものであればいずれでもよい。例えば、type-cインターフェース、micro-usb等の常用のインターフェースのうちいずれかの一種であることができる。
【００７２】
この考案の他の実施形態において、前記眼部美容装置の頭部１０の説明と前記第一実施例の説明が一致しているので、ここでは再び説明しない。
【００７３】
従来の技術と比較してみると、この考案の美容装置の頭部および美容装置により下記考案の効果を獲得することができる。
１、前記美容装置の頭部は、頭部、弾性挿入部および外部の回路構造に電気接続される電気接続部を含み、前記頭部内には導電構造が形成され、前記弾性挿入部は弾性の方向における両端を含み、その一端は前記頭部内に挿入されることにより前記導電構造に電気接続され、他端は前記電気接続部に電気接続される。弾性挿入部は電線のような役割をするので、電線で電気接続をするとき溶接方法を採用する必要があることを避け、工程を簡単にすることができる。また、弾性挿入部は１つの電線より容易に取り付けることができるので、組立ての時間を節約し、製造のコストを低減することができる。
【００７４】
２、前記弾性挿入部はスプリングまたは金属弾性シートのうちいずれかの一種を含む。弾性挿入部が螺旋状または弾性シート状に形成されることにより、導線を溶接させるとき製造のコストが高い問題を解決することができる。スプリングを伝送線として使用するとき、電流によって形成される熱を発散させ、使用の寿命を向上させ、美容装置の美容の効果を向上させることができる。
【００７５】
３、前記頭部は使用者の人体と接触する接触部と接触部に連結される結合円筒部を含み、前記弾性挿入部の弾性を有している一端は前記結合円筒部に挿入されるとともに前記導電構造に電気接続される。弾性挿入部は結合円筒部内の導電構造に挿入されることにより導電構造と電気の伝送をし、電流を有効に流入させることができる。
【００７６】
４、前記頭部の数量は偶数であり、少なくとも２個であることができ、２個の頭部の間は電気接続される。前記頭部はＲＦ電極とＥＭＳ電極のうち一種または二種を含むことができる。ＲＦ電極によって形成されるラジオフリークエンシーカレントが皮膚上のジェルまたはエッセンスに影響を与え、多極のラジオフリークエンシーの加熱透過の原理によりラジオフリークエンシーカレントが皮膚の真皮層に伝達されるので、コラーゲンの収縮を促進させるとともにコラーゲンの再生を促進させることができる。それにより皺を除去し、皮膚の弾性を獲得し、皮膚を柔らかくする効果等を獲得することができる。ＥＭＳ電極によって形成されるマイクロカレントが皮膚上のジェルまたはエッセンスに影響を与えることにより皮膚の細胞の活性化を獲得し、皮膚の弾性を回復させ、眼部の周囲の皮膚を引っ張り、皮膚の緩みと下垂を改善し、皮膚の老衰を緩和することができる。２個の頭部の間の皮膚上のジェルまたはエッセンスにより回路が形成されることにより、ジェルまたはエッセンスを充分に利用しかつ美容の効果を向上させることができる。
【００７７】
５、前記頭部の数量は４個であり、４個の前記頭部は２個のＲＦ電極と２個のＥＭＳ電極を含み、４個の前記頭部の連結線は四角形に形成され、２個の前記ＲＦ電極は対角線上に位置し、２個の前記ＥＭＳ電極は他の対角線上に位置する。ＲＦ電極とＥＭＳ電極が対向するように交差して取り付けられることにより皮膚の美容区域を有効に増加させ、ＲＦラジオフリークエンシーカレントとＥＭＳマイクロカレントが皮膚に均等に充分に影響を与えることを確保することができる。また、ＲＦ電極とＥＭＳ電極が対向するように交差して取り付けられることにより、隣接する２つの電極のタイプが異なり、ＲＦラジオフリークエンシーカレントとＥＭＳマイクロカレントが眼部に交差して影響を与えることにより良好な美容の効果を獲得することができる。
【００７８】
６、前記美容装置の頭部はＬＥＤランプと制御装置を含み、前記制御装置は前記頭部の作動モードを検出しかつ前記頭部の作動モードにより前記ＬＥＤランプが赤色、青色、及び緑色の光線のうち１つまたは複数の組合せを出射するように制御する。ＬＥＤランプは赤色、緑色、青色の光線を出射する光源であり、赤色の光線は皮膚の活性化を獲得し、青色の光線は皮膚の炎症を抑制し、緑色の光線は傷ついた皮膚を回復させることができる。
【００７９】
７、前記美容装置の頭部は、支持フレーム、支持フレームに結合される連結部および支持フレームに連結されるケースを含む。支持フレームには前記頭部を挿入させる挿入孔と連結部を収納させる空間が形成され、前記連結部は前記支持フレーム内に結合され、前記タッチモジュールは前記支持フレームの端面から露出する。前記結合円筒部は前記挿入孔内に収納されかつ前記タッチモジュールから離れている一端は前記連結部に連結され、前記頭部は前記支持フレームに固定連結される。前記連結部は防水、密閉の役割をすることにより外部のジェルまたはエッセンスが美容装置の内部の電気接続部に流入することを有効に防止することができる。
【００８０】
８、前記連結部に近づいている前記支持フレームの一端に階段構造が形成されることによりケースを結合させる結合環状部が形成される。前記ケースは前記結合環状部の外壁に結合され、前記連結部は前記結合環状部の内壁に結合される。前記支持フレームは黒色の透光材料で製造され、前記連結部は防水、密閉の役割をすることにより外部のジェルまたはエッセンスが美容装置の内部の電気接続部に流入することを有効に防止することができる。
【００８１】
９、前記ＬＥＤランプは前記電気接続部上に取り付けられ、前記ケースの前記ＬＥＤランプと対応する個所には装着孔が形成され、前記装着孔のサイズは前記ＬＥＤランプのサイズより大きく、前記ＬＥＤランプは前記装着孔内に収納される。前記ＬＥＤランプが出射する光線は前記支持フレームを透過し、前記ＬＥＤランプが出射する光線は黒色でありかつ透明である支持フレームを透過した後使用者の皮膚に照射されることにより、皮膚の血液の循環を促進させ、光線の治療をすることができる。
【００８２】
１０、前記連結部には前記弾性挿入部を挿入する貫通孔が形成され、前記電気接続部は前記頭部から離れている前記ケースの一側に取り付けられ、前記弾性挿入部は前記連結部と前記ケースを通過した後、前記電気接続部に電気接続される。前記ケースには前記連結部を収納させる収納空間が形成され、前記頭部から離れている前記連結部の一端は前記ケースの内壁に連結される。前記固定部品を前記電気接続部、前記ケース、前記連結部および前記支持フレームに順に挿入させることによりそれらを固定させる。固定部品が電気接続部、ケース、連結部および支持フレームに順に挿入されかつそれらを固定させることにより、美容装置の頭部を着脱可能に連結させ、美容装置の頭部の体積を低減することができる。
【００８３】
１１、前記連結部に近づいている前記挿入孔の一端の内壁に階段構造が形成されることにより位置決め部が形成される。前記頭部は前記挿入孔内に収納され、前記位置決め部は前記支持フレームから離れている前記頭部の一端に当接し、頭部は外部に露出する。露出する頭部が使用者の皮膚と直接に接触することにより、皮膚上の美容の区域を増加させ、美容の効果を向上させることができる。
【００８４】
１２、前記収納孔は非貫通孔であり、頭部に向かう前記収納孔の一側の端面上には凹部が形成され、前記凹部は頭部が弾性移動をするように空間を提供する。それにより頭部を皮膚に接触させるとき弾性接触が形成されるので、マッサージをする使用者の快適性を向上させ、使用者の体験を向上させることができる。
【００８５】
１３、前記美容装置の頭部は眼部美容装置の頭部であり、それにより眼部の周囲の区域の美容と保護をすることにより目の過度の使用により眼部の皮膚の老化を有効に防止し、眼部の区域の美容の効果を増加させることができる。
【００８６】
１４、前記美容装置は取っ手を更に含み、前記取っ手は前記美容装置の頭部に着脱可能に連結され、前記取っ手上には作動のモードを変化させる少なくとも１つのスイッチが取り付けられる。前記取っ手上には磁石吸着型インターフェースが更に取り付けられ、前記磁石吸着型インターフェースを外部の充電装置に磁石で接着させることにより充電をすることができる。スイッチをタッチすることにより使用者は美容装置の作動のモードを適当に選択することができるので、美容装置の機能を豊富にし、使用者の体験を向上させることができる。磁石吸着型インターフェースにより美容装置の充電と充電装置との電気接続をし、美容装置の収納と充電を容易にすることができる。美容装置の取っ手上にはＤＣ充電インターフェースが更に取り付けられることができる。磁石吸着型充電装置は利便性を有しているが、ＤＣ充電インターフェースにより美容装置の充電を迅速にし、美容装置の充電の効率を向上させることができる。異なる充電インターフェースによりいろいろなニーズを満たすことができる。
【符号の説明】
【００８７】
１０  美容装置の頭部
２０  タッチモジュール
２１  頭部
２１１  接触部
２１２  結合円筒部
２２  支持フレーム
２２１  挿入孔
２２２  結合部
２２３  収納空間
２２１１  位置決め部
２２２１  ネジ孔
２２５  結合環状部
２３  弾性挿入部
２４  連結部
２４１  結合孔
２４２  収納孔
２４３  連結突出部
２４４  第一連結板
２４５  第二連結板
２４６  装着空間
３０  連結モジュール
３１  ケース
３１１  収納貫通孔
３１２  装着孔
３１３  連結柱体
３１３１  貫通孔
３２  固定部品
３３  電気接続部
３３１  連結開口
３３２  電極
３３３  ＬＥＤランプ
４０  取っ手
４０１  スイッチ
５０  ＲＦ電極
６０  ＥＭＳ電極
７０  導電構造
８０  凹部
９０  磁石吸着型インターフェース
１００  美容装置
【図１】
0003226151.tif 000003
【図２】
0003226151.tif 000004
【図３】
0003226151.tif 000005
【図４】
0003226151.tif 000006
【図５】
0003226151.tif 000007
【図６】
0003226151.tif 000008
【図７】
0003226151.tif 000009
【図８】
0003226151.tif 000010
【図９】
0003226151.tif 000011
【図１０】
0003226151.tif 000012
【図１１】
0003226151.tif 000013
【図１２】
0003226151.tif 000014
【図１３】
0003226151.tif 000015
【図１４】
0003226151.tif 000016
【図１５】
0003226151.tif 000017
【図１６】
0003226151.tif 000018